(57)【要約】【課題】複数のパラメータの変更を共通するスイッチの操作により行なう際の使用者の使い勝手を向上させた給湯器リモコンを提供することを目的とする。【解決手段】Ｕpスイッチ１８及びＤownスイッチ１９と、パラメータ変更可能モードとパラメータ変更不能モードとを切替えるモード切替手段３１と、選択スイッチ１７とを備えた給湯器リモコン３において、変更されたパラメータを示すパラメータ指示データを記憶するメモリ３４と、パラメータ変更不能モードからパラメータ変更可能モードに切替わったときに、前記パラメータ指示データにより示されるパラメータを変更の対象とする最初のパラメータとして選択し、以後、Ｕpスイッチ１８及びＤownスイッチ１９が操作されることなく選択スイッチ１７が操作される毎に、予め設定された選択順序に従って、次に変更の対象とするパラメータを選択するパラメータ選択手段３２とを備える。【選択図】  図２
2006226544.tif 000002
【特許請求の範囲】
【請求項１】
給湯器を遠隔操作する給湯器リモコンであって、
少なくとも給湯器の作動に関するパラメータを含む複数のパラメータの設定の変更を指示するためのパラメータ変更スイッチと、該パラメータ変更スイッチの操作に応じて、パラメータの設定を変更するパラメータ変更手段と、該パラメータ変更スイッチによるパラメータの設定の変更が可能なパラメータ変更可能モードと、該パラメータの設定の変更が不能なパラメータ変更不能モードとを切替えるモード切替手段と、前記パラメータ変更スイッチによる設定変更の対象となるパラメータの選択を指示するためのパラメータ選択スイッチとを備えた給湯器リモコンにおいて、
前記パラメータ変更手段により設定が変更されたパラメータを示すパラメータ指示データを記憶する記憶手段と、
前記パラメータ変更不能モードから前記パラメータ変更可能モードに切替わったときに、前記パラメータ指示データにより示されるパラメータを前記パラメータ変更スイッチによる設定変更の対象とする最初のパラメータとして選択し、以後、前記パラメータ変更スイッチが操作されることなく前記パラメータ選択スイッチが操作される毎に、予め設定された各パラメータの選択順序に従って、次に前記パラメータ変更スイッチによる設定変更の対象とするパラメータを選択するパラメータ選択手段とを備えたことを特徴とする給湯器リモコン。
【請求項２】
前記パラメータ変更手段によりいずれかのパラメータの設定が変更されたときに、前記記憶手段に記憶された前記パラメータ指示データを該設定が変更されたパラメータを示すデータに更新するか否かを、使用者の指示に応じて決定するデータ更新決定手段を備えたことを特徴とする請求項１記載の給湯器リモコン。
【請求項３】
前記モード切替手段は、前記パラメータ変更可能モードにおいて、前記パラメータ変更スイッチにより何れかのパラメータの設定変更の操作がされた後、前記パラメータ選択スイッチが操作されたときに、前記パラメータ変更可能モードから前記パラメータ変更不能モードに切替え、
前記データ更新決定手段は、該パラメータ変更可能モードからパラメータ変更不能モードへの切替えを指示する前記パラメータ選択スイッチの操作において、前記パラメータ選択スイッチが所定時間以上継続してＯＮ状態とされたときは、前記パラメータ指示データを更新することを決定し、前記パラメータ選択スイッチが該所定時間よりも短い時間継続してＯＮ状態とされたときには、前記パラメータ指示データを更新しないことを特徴とする請求項２記載の給湯器リモコン。
【請求項４】
前記データ更新決定手段の決定に応じて、前記パラメータ指示データが更新されたことを報知する報知手段を備えたことを特徴とする請求項３記載の給湯器リモコン。
【請求項５】
暖房機を遠隔操作する機能を有し、前記パラメータには、該暖房機の作動と停止を指示するためのパラメータが含まれることを特徴とする請求項１から請求項４のうちいずれか１項記載の給湯器リモコン。
【発明の詳細な説明】
【技術分野】
【０００１】
本発明は、給湯器の作動に関するパラメータを含む複数のパラメータの設定を変更する機能を備えた給湯器リモコンに関する。
【背景技術】
【０００２】
近年、給湯器の機能は多様化しており、それに伴って給湯器リモコンにより設定を変更できるパラメータの種類も増加している。例えば浴槽への自動湯張りを行う際に必要となる湯張り量や湯張り温度、予約運転を行なうための現在時刻、浴室暖房機の作動／停止等に関するパラメータの設定を変更可能とする必要がある。
【０００３】
そして、給湯器リモコンに、これらのパラメータの設定を変更するためのスイッチをパラメータ毎に個別に設けると、スイッチの個数の増加により給湯器リモコンのサイズが大きくなると共にスイッチのコストも増加する。そこで、１個の選択スイッチと１組のＵpスイッチ及びＤownスイッチを設け、該選択スイッチとＵpスイッチ及びＤownスイッチを組み合わせた操作により、複数のパラメータの設定の変更を可能とした給湯器リモコンが提案されている（例えば、特許文献１参照）。
【０００４】
かかる給湯器リモコンによれば、スイッチの個数の増加を抑えて給湯器リモコンのサイズを小さくすることができる。しかし、かかる給湯器リモコンにおいては、パラメータを選択してパラメータの設定を変更する際に多くのスイッチ操作が必要となる場合があり、この場合には使用者の使い勝手が悪いという不都合があった。
【特許文献１】特開２００３−１３０４５０号公報
【発明の開示】
【発明が解決しようとする課題】
【０００５】
本発明は上記不都合を解消するためになされたものであり、複数のパラメータの設定変更を共通するスイッチの操作により行なう際の使用者の使い勝手を向上させた給湯器リモコンを提供することを目的とする。
【課題を解決するための手段】
【０００６】
本発明は上記目的を達成するためになされたものであり、給湯器を遠隔操作する給湯器リモコンであって、少なくとも給湯器の作動に関するパラメータを含む複数のパラメータの設定の変更を指示するためのパラメータ変更スイッチと、該パラメータ変更スイッチの操作に応じて、パラメータの設定を変更するパラメータ変更手段と、該パラメータ変更スイッチによるパラメータの設定の変更が可能なパラメータ変更可能モードと、該パラメータの設定の変更が不能なパラメータ変更不能モードとを切替えるモード切替手段と、前記パラメータ変更スイッチによる設定変更の対象となるパラメータの選択を指示するためのパラメータ選択スイッチとを備えた給湯器リモコンの改良に関する。
【０００７】
そして、前記パラメータ変更手段により設定が変更されたパラメータを示すパラメータ指示データを記憶する記憶手段と、前記パラメータ変更不能モードから前記パラメータ変更可能モードに切替わったときに、前記パラメータ指示データにより示されるパラメータを前記パラメータ変更スイッチによる設定変更の対象とする最初のパラメータとして選択し、以後、前記パラメータ変更スイッチが操作されることなく前記パラメータ選択スイッチが操作される毎に、予め設定された各パラメータの選択順序に従って、次に前記パラメータ変更スイッチによる設定変更の対象とするパラメータを選択するパラメータ選択手段とを備えたことを特徴とする。
【０００８】
かかる本発明によれば、前記パラメータ変更スイッチの操作によりいずれかのパラメータの設定が変更されたときに、該設定が変更されたパラメータを示す前記パラメータ指示データが前記記憶手段に記憶される。そして、このように一度設定が変更されたパラメータについては、続けて設定が変更される可能性が高い場合がある。そこで、前記パラメータ選択手段は、前記パラメータ変更不能モードから前記パラメータ変更可能モードに切替わったときに、前記記憶手段に記憶された前記パラメータ指示データにより示されるパラメータを、前記パラメータ変更スイッチによる設定変更の対象とする最初のパラメータとして選択する。これにより、使用者が設定を変更する可能性が高いパラメータを選択するために前記パラメータ選択スイッチを操作する回数が減少し、使用者の使い勝手が向上することが期待できる。
【０００９】
また、前記パラメータ変更手段によりいずれかのパラメータの設定が変更されたときに、前記記憶手段に記憶された前記パラメータ指示データを該設定が変更されたパラメータを示すデータに更新するか否かを、使用者の指示に応じて決定するデータ更新決定手段を備えたことを特徴とする。
【００１０】
かかる本発明によれば、使用者は、前記パラメータ変更スイッチにより変更したパラメータを、次回のパラメータ変更時に最初に選択されるパラメータとするか否かを決定することができるため、使い勝手がよい。
【００１１】
また、前記モード切替手段は、前記パラメータ変更可能モードにおいて、前記パラメータ変更スイッチにより何れかのパラメータの設定変更の操作がされた後、前記パラメータ選択スイッチが操作されたときに、前記パラメータ変更可能モードから前記パラメータ変更不能モードに切替え、前記データ更新決定手段は、該パラメータ変更可能モードからパラメータ変更不能モードへの切替えを指示する前記パラメータ選択スイッチの操作において、前記パラメータ選択スイッチが所定時間以上継続してＯＮ状態とされたときは、前記パラメータ指示データを更新することを決定し、前記パラメータ選択スイッチが該所定時間よりも短い時間継続してＯＮ状態とされたときには、前記パラメータ指示データを更新しないことを特徴とする。
【００１２】
かかる本発明によれば、前記データ更新決定手段は、使用者が前記パラメータ変更可能モードから前記パラメータ変更不能モードへの切替えを指示する際の前記パラメータ選択スイッチを操作する時間が、前記所定時間以上であるか否かによって、前記パラメータ指示データを更新するか否かを決定する。そのため、前記パラメータ指示データを更新するか否かを指示するためのスイッチを別個に設ける必要がない。さらに、前記パラメータ選択スイッチの１回の操作により、前記パラメータ変更可能モードから前記パラメータ変更不能モードへの切替えと、前記パラメータ指示データの更新の有無を指示することができるため、使用者の操作を簡素化することができる。
【００１３】
また、前記データ更新決定手段の決定に応じて、前記パラメータ指示データが更新されたことを報知する報知手段を備えたことを特徴とする。
【００１４】
かかる本発明によれば、使用者が前記パラメータ選択スイッチを前記所定時間以上継続して操作したときに、前記データ更新決定手段によりパラメータ指示データが変更される。そこで、前記報知手段により報知を行って、使用者に対して、直近に変更されたパラメータが、次回のパラメータの変更操作において最初に選択されるように設定されたことを認識させることにより、使用者の使い勝手を向上させることができる。
【００１５】
また、暖房機を遠隔操作する機能を有し、前記パラメータには、該暖房機の作動と停止を指示するためのパラメータが含まれることを特徴とする。
【００１６】
かかる本発明において、使用者が前記暖房機の作動を指示して暖房を開始した場合、その後、暖房を終了させるために、使用者は前記暖房機の停止を指示することになる。この場合、使用者が、暖房機の作動と停止を指示するためのパラメータの設定変更の操作により暖房機の作動開始を指示したときに、該パラメータを示す前記パラメータ指示データを前記記憶手段に記憶することによって、次に暖房機の作動を停止するためにパラメータの設定変更の操作をするときには、暖房機の作動と停止を指示するためのパラメータが最初に選択される。そのため、使用者は、暖房機の作動の停止操作を容易に行なうことができる。
【発明を実施するための最良の形態】
【００１７】
本発明の実施の形態について、図１〜図８を参照して説明する。図１は本発明の給湯器リモコンを備えた給湯システムの全体構成図、図２は図１に示した浴室リモコンの構成図、図３は図１に示した浴室リモコンの表示器の表示状態を示した説明図、図４は図１に示した台所リモコンの構成図及び台所リモコンの表示器の表示状態を示した説明図、図５，図６はパラメータの変更処理のフローチャート、図７は台所リモコンにおける各パラメータの選択順序を示した説明図、図８は浴室リモコンにおける各パラメータの選択順序を示した説明図である。
【００１８】
図１を参照して、給湯器５は給湯配管（図示しない）に湯を供給する機能の他に、浴槽（図示しない）に所定量の湯を供給する自動湯張り機能、浴槽内の湯を追焚きする追焚き機能、温水式の浴室暖房機７（本発明の暖房機に相当する）及び床暖房機８（本発明の暖房機に相当する）に湯を循環させる温水循環機能等を備えている。なお、給湯器５に備えられた電子ユニットであるコントローラ６によって、これらの機能に基づく各種の運転が実行される。
【００１９】
そして、給湯器５を遠隔操作する本発明の給湯器リモコンとして、台所に設けられた台所リモコン１と、洗面所等に設けられた増設リモコン２と、浴室に設けられた浴室リモコン３とが備えられている。
【００２０】
図２を参照して、浴室リモコン３には、給湯器５の作動状態等を表示する表示器１０、自動湯張り運転の実行を指示するための自動スイッチ１１、追焚き運転の実行を指示するための追焚きスイッチ１２、給湯器５を給湯動作が可能な運転状態と給湯動作が不能な待機状態とに切替えるための運転スイッチ１３、台所リモコン１と増設リモコン２に設けられたブザーの鳴動を指示するための呼び出しスイッチ１５、台所リモコン１と増設リモコン２による給湯温度の設定を無効として浴室リモコン３による給湯温度の設定を優先させることを指示するための優先スイッチ１６、音声出力やブザー音を出力するためのスピーカ２２、給湯器５や浴室リモコン３の作動等に関する各種のパラメータの設定変更が可能な「パラメータ変更可能モード」と該パラメータの設定変更が不能な「パラメータ変更不能モード」との切替え等を指示するための選択スイッチ１７（本発明のパラメータ選択スイッチに相当する）、給湯温度の変更やパラメータの設定変更を指示するためのＵＰスイッチ１８とＤＯＷＮスイッチ１９（本発明のパラメータ変更スイッチに相当する）、浴槽に高温の湯を所定量供給する「足し湯」の実行を指示するための足し湯スイッチ２０、及び浴槽に水を所定量供給する「ぬる湯」の実行を指示するためのぬる湯スイッチ２１が備えられている。
【００２１】
また、浴室リモコン３は、マイクロコンピュータ等により構成されたコントローラ３０を備え、該コントローラ３０により浴室リモコン３の作動が制御される。コントローラ３０には、「パラメータ変更可能モード」と「パラメータ変更不能モード」の切替えを行なうモード切替手段３１、変更の対象とするパラメータの選択処理を実行するパラメータ選択手段３２、パラメータの設定の変更処理を実行するパラメータ変更手段３５、パラメータ選択処理において最初に選択されるパラメータを指示するパラメータ指示データ等を記憶するメモリ３４、及びメモリ３４に記憶されたパラメータ指示データを更新するか否かを決定するデータ更新決定手段３３が備えられている。
【００２２】
浴室リモコン３の表示器１０には、図３に示したように、給湯運転の実行時に点灯する給湯燃焼表示部４０、給湯温度を表示する給湯温度表示部４１、給湯温度を所定範囲で変更する「ゆらぎのシャワー」が設定されているときに点灯するゆらぎ表示部４２、給湯温度の設定が６０℃以上であるときに点灯する高温表示部４３、浴槽内の湯の保温動作中に点灯する保温表示部４４、追焚き運転の実行中に点灯する風呂燃焼表示部４５、現在時刻と予約時刻とパラメータ変更可能モードにおける選択パラメータとのいずれかを表示する時計表示部４６、パラメータの設定状態（入／切）を表示する切表示４７と入表示４８、予約時刻であることを表示する予約表示部４９、自動湯張り・追焚き・足し湯・ぬる湯の各運転の実行中に点灯する風呂運転表示部５０、浴槽への湯張り量の目安を表示する水位表示部５１、及び湯張り温度や湯張り量等を表示する風呂温度表示部５２が備えられている。
【００２３】
次に、図４（ａ）を参照して、台所リモコン１には、給湯器５の作動状態等を表示する表示器６０、自動湯張り運転の実行を指示するための自動スイッチ６１、給湯器５を給湯動作が可能な運転状態と給湯動作が不能な待機状態とに切替えるための運転スイッチ６２、給湯器５や台所リモコン１の作動等に関する各種のパラメータの設定変更が可能な「パラメータ変更可能モード」と該パラメータの設定変更が不能な「パラメータ変更不能モード」との切替えを指示するための選択スイッチ６５（本発明のパラメータ選択スイッチに相当する）、給湯温度の変更とパラメータの設定変更とを指示するためのＵＰスイッチ６３とＤＯＷＮスイッチ６４（本発明のパラメータ変更スイッチに相当する）、及び音声出力やブザー音を出力するためのスピーカ６６が備えられている。
【００２４】
図４（ｂ）に示したように、台所リモコン１の表示器６０には、「パラメータ変更可能モード」において選択されたパラメータを点灯するパラメータ表示部７０、給湯運転の実行時に点灯する給湯燃焼表示部７２、浴室暖房機７を自動湯張り運転と連動して作動させる「浴室連動」状態に設定されているときに点灯する連動表示部７３、浴槽内の湯の保温動作中に点灯する保温表示部７４、自動湯張り・追焚き・足し湯・ぬる湯の各運転の実行中に点灯する風呂運転表示部７５、給湯温度・湯張り温度を表示する給湯温度表示部７６、現在時刻と予約時刻を表示する時計表示部７７、パラメータの設定状態を表示する入表示部７８と切表示部７９、及び追焚き運転の実行中に点灯する風呂燃焼表示部８０が備えられている。
【００２５】
なお、台所リモコン１にも、図２に示した浴室リモコン３のコントローラ３０と同様のコントローラが備えられている。また、増設リモコン２の構成は台所リモコン１と同様である。
【００２６】
次に、図５及び図６に示したフローチャートに従って、浴室リモコン３によるパラメータの変更処理について説明する。図５のＳＴＥＰ１で使用者が選択スイッチ１７を操作するとモード切替手段３１により「パラメータ変更可能モード」に切替えられる。そして、パラメータ選択手段３２は、続くＳＴＥＰ２でメモリ３４に記憶されたパラメータ指示データを読み出し、ＳＴＥＰ３で該パラメータ指示データにより指示されるパラメータを変更対象とするパラメータとして選択する。
【００２７】
ここで、浴室リモコン３においては、運転状態では図７（ａ）に示したように、「時計合わせ」パラメータ１００→「暖房」パラメータ１０１→「ゆらぎ」パラメータ１０２→「ふろ温度」パラメータ１０３→「ふろ湯量」パラメータ１０４→「保温時間」パラメータ１０５→「音量」パラメータ１０６→「連動」パラメータ１０７→「セルフクリーン」パラメータ１０８→「セーブ」パラメータ１０９→「時計合わせ」パラメータ１００→…という選択順序が予め設定されている。
【００２８】
また、待機状態では図７（ｂ）に示したように、給湯動作に関与しない、「時計合わせ」パラメータ１００→「暖房」パラメータ１０１→「音量」パラメータ１０６→「連動」パラメータ１０７→「セルフクリーン」パラメータ１０８→「セーブ」パラメータ１０９→「時計合わせ」パラメータ→…という選択順序が予め設定されている。
【００２９】
なお、パラメータ指示データの初期値として、「時計合わせ」パラメータを指示するデータがメモリ３４に記憶され、給湯器５及び各リモコン１，２，３の設置後、最初に電源が投入されて選択スイッチ１７が操作されたときには、「時計合わせ」パラメータが変更対象として選択される。
【００３０】
ここで、「時計合わせ」パラメータは、浴室リモコン３に備えられた計時手段（図示しない）の計時時刻のデータであり、「時計合わせ」パラメータの設定を変更することで計時手段の計時時刻を修正することができる。また、「暖房」パラメータ１０１は浴室暖房機７の作動／停止を指示するものであり、「ゆらぎ」パラメータ１０２は上述したゆらぎモードの設定／解除を指示するものである。
【００３１】
「ふろ温度」パラメータは自動湯張り運転における浴槽への給湯温度の設定データであり、「ふろ湯量」パラメータは自動湯張り運転における浴槽への湯張り量の設定データであり、「保温時間」パラメータは自動湯張り運転が終了してから浴槽内の湯を保温する時間の設定データである。
【００３２】
「音量」パラメータ１０６はスピーカ２２の出力レベルのデータであり、「連動」パラメータは自動湯張り運転と浴室暖房機７の作動との連動の設定／解除を指示するものである。「セルフクリーン」パラメータは、自動湯張り運転の終了後時に給湯器５から浴槽への湯張り配管（図示しない）中に残った湯を浴槽内に排出するセルフクリーン処理の実行の設定／解除を指示するものである。
【００３３】
「セーブ」パラメータは、運転状態において、給湯器５の給湯動作が終了してから約１０分が経過した時に、浴室リモコン３の表示器１０を消灯すると共に、運転スイッチ１３以外のスイッチのＬＥＤを消灯して、運転スイッチ１３のＬＥＤのみが点灯した状態とし、これにより浴室リモコン３の消費電力を低減する「セーブモード」動作の設定／解除を指示するものである。
【００３４】
そして、次のＳＴＥＰ４で、パラメータ選択手段３２は、選択したパラメータの種類を表示器１０の時計表示部４６に表示する。例えば、「浴室暖房」パラメータが選択されたときは、時計表示部４６に「浴室暖房」と表示される。
【００３５】
続くＳＴＥＰ５で、パラメータ選択手段３２は、Ｕpスイッチ１８又はＤownスイッチ１９が操作されたか否かを判断する。そして、Ｕpスイッチ１８及びＤownスイッチ１９のいずれも操作されなかったときには、ＳＴＥＰ２０に分岐して選択スイッチ１７が操作されたか否かを判断する。そして、選択スイッチ１７が操作されたときはＳＴＥＰ２１に進み、パラメータ選択手段３２は、次の選択順位のパラメータを選択してＳＴＥＰ４に進む。
【００３６】
例えば、「浴室暖房」パラメータが選択されているときに、ＳＴＥＰ５でＵpスイッチ１８とＤownスイッチ１９のいずれも操作されずに、ＳＴＥＰ２０で選択スイッチ１７が操作されると、図８（ａ）に示した選択順位に従って、「床暖房」パラメータが選択される。そして、引き続き、ＳＴＥＰ５でＵpスイッチ１８とＤownスイッチ１９のいずれも操作されずにＳＴＥＰ２０で選択スイッチ１７が操作されるごとに、ＳＴＥＰ２１に進んで、「ふろ温度」パラメータ→「ふろ湯量」パラメータ→「音量」パラメータ→ … の順で次の選択順位のパラメータが選択される。
【００３７】
一方、ＳＴＥＰ５でＵpスイッチ１８又はＤownスイッチ１９が操作されると、ＳＴＥＰ６に進む。ＳＴＥＰ６〜図６のＳＴＥＰ１０及びＳＴＥＰ４０は、パラメータ変更手段３５により実行されるパラメータの変更処理である。パラメータ変更手段３５は、ＳＴＥＰ６で１分タイマをスタートさせ、ＳＴＥＰ７でＵpスイッチ１８又はＤownスイッチ１９の操作に応じて、パラメータの設定状態の表示を変更する。
【００３８】
例えば、「浴室暖房」パラメータが選択されているときには、Ｕpスイッチ１８又はＤownスイッチ１９が操作される毎に、入表示部４８と切表示部４７が交互に点灯する。「ゆらぎ」パラメータ、「連動」パラメータ、「セルフクリーン」パラメータ、及び「セーブ」パラメータ１０９についても同様である。
【００３９】
また、「時計合わせ」パラメータ及び「保温時間」パラメータが選択されたときは、Ｕpスイッチ１８又はＤownスイッチ１９の操作に応じて、時計表示部４６の表示が変更される。また、「ふろ温度」パラメータ、「ふろ湯量」パラメータ、「音量」パラメータが選択されたときは、Ｕpスイッチ１８又はＤownスイッチ１９の操作に応じて、風呂温度表示部５２の表示が変更される。
【００４０】
次のＳＴＥＰ８でＵpスイッチ１８とＤownスイッチ１９のいずれも操作されていないときはＳＴＥＰ９に進み、パラメータ変更手段３５は、選択スイッチ１７が操作されたか否かを判断する。ＳＴＥＰ９で選択スイッチ１７が操作されたときは図６のＳＴＥＰ１０に進み、パラメータ変更手段３５はパラメータの値を変更する。
【００４１】
続くＳＴＥＰ１１〜ＳＴＥＰ１２はデータ更新決定手段３３による処理であり、データ更新決定手段３３は、ＳＴＥＰ９における選択スイッチ１７の操作が、ＯＮ操作（選択スイッチ１７の押圧操作）が所定時間（例えば３秒）以上継続して行なわれた長押し操作であったか否かを判断する。そして、長押し操作であったときにはＳＴＥＰ１２に進み、データ更新決定手段３３は、メモリ３４に記憶されたパラメータ指示データを、ＳＴＥＰ１０で変更したパラメータを指示するデータに更新する。
【００４２】
そして、コントローラ３０は、続くＳＴＥＰ１３でスピーカ２２から「初期パラメータを変更しました」という音声を出力し、ＳＴＥＰ１４で更新したパラメータの表示を点滅して、パラメータ指示データが更新されて次回パラメータの設定変更の操作を行なうときには、今回設定を変更したパラメータが最初に選択される状態となったことを使用者に報知する。なお、コントローラ３０によりこのように音声と表示による報知を行う機能が、本発明の報知手段に相当する。
【００４３】
一方、ＳＴＥＰ１１で選択スイッチ１７の操作が長押し操作でなかったときには、ＳＴＥＰ１５に進み、メモリ３４に記憶されたパラメータ指示データの更新は行なわれない。そのため、使用者は図５のＳＴＥＰ９において、選択スイッチ１７を長押し操作するか否かにより、次回のパラメータ変更操作を行なうときに最初に選択されるパラメータを変更するか否かを選択することができる。
【００４４】
また、図５のＳＴＥＰ９で選択スイッチ１７が操作されていないときにはＳＴＥＰ４０に分岐して、パラメータ変更手段３５は１分タイマがタイムアップしているか否かを判断する。そして、１分タイマがタイムアップしていないときはＳＴＥＰ８に戻り、１分タイマがタイムアップしていたときには図６のＳＴＥＰ１０に進んで、パラメータ値を変更する。そして、ＳＴＥＰ１１に進むが、選択スイッチ１７の長押し操作はされていないのでＳＴＥＰ１６に進んで処理を終了する。
【００４５】
次に、台所リモコン１においても、以上説明した浴室リモコン３と同様に、選択スイッチ６５の操作により「パラメータ変更不能モード」から「パラメータ変更可能モード」に切替わり、Ｕpスイッチ６３又はＤownスイッチ６４の操作によりパラメータ値の変更が可能となる。
【００４６】
そして、「パラメータ変更不能モード」から「パラメータ変更可能モード」に切替えられた後、Ｕpスイッチ６３とＤownスイッチ６４のいずれも操作されることなく、選択スイッチ６５が操作されたときには、選択されるパラメータが切替えられるが、このときの選択順序は、図８（ａ）に示したように、「時計合わせ」パラメータ１２０→「予約」パラメータ１２１→「排水」パラメータ１２２→「浴室暖房」パラメータ１２３→「暖房」パラメータ１２４→「ふろ温度」パラメータ１２５→「ふろ湯量」パラメータ１２６→「音量」パラメータ１２７→「静音」パラメータ１２８→「セーブ」パラメータ１２９→「時計合わせ」パラメータ１２０→…という選択順序が予め設定されている。
【００４７】
また、待機状態では、図８（ｂ）に示したように、給湯動作に関与しない、「時計合わせ」パラメータ１２０→「排水」パラメータ１２２→「浴室暖房」パラメータ１２３→「暖房」パラメータ１２４→「音量」パラメータ１２７→「静音」パラメータ１２８→「セーブ」パラメータ１２９→「時計合わせ」パラメータ１２０→…という選択順序が予め設定されている。
【００４８】
ここで、浴室リモコン３では選択できなかったパラメータについて説明する。「予約」パラメータは、自動湯張り運転を開始する時刻（予約時刻）のデータである。また、「浴室暖房」パラメータは浴室リモコン３における「暖房」パラメータと同様に、浴室暖房機７の作動／停止を指示するものである。
【００４９】
また、「暖房」パラメータは、床暖房機８の作動／停止を指示するものであり、「静音」パラメータは、浴室暖房機７の暖房開始時など、浴室暖房機７が最大能力近くで暖房運転しているときに、暖房能力を低下させて運転音を減少させる「静音運転」の設定／解除を指示するものである。
【００５０】
なお、図４（ａ），図４（ｂ）を参照して、台所リモコン１においては、表示器６０のパラメータ表示部７０に選択されたパラメータが点灯し、作動／停止又は設定／解除を行なうパラメータの場合は、Ｕpスイッチ６３又はＤownスイッチ６４の操作に応じて入表示部７８と切表示部７９が交互に点灯する。
【００５１】
また、「時計合わせ」パラメータ、「予約」パラメータ、及び「ふろ湯量」パラメータの場合は、Ｕpスイッチ６３又はＤownスイッチ６４の操作に応じて時刻表示部７７の表示が変わる。また、「ふろ温度」パラメータ、及び「音量」パラメータの場合は、Ｕpスイッチ６３又はＤownスイッチ６４の操作に応じて給湯温度表示部７６の表示が変わる。
【００５２】
また、増設リモコン２においても、台所リモコン１と同様に、選択スイッチ６５の操作により「パラメータ変更不能モード」から「パラメータ変更可能モード」に切替わり、Ｕpスイッチ６３又はＤownスイッチ６４の操作によりパラメータ値の変更が可能となる。
【００５３】
なお、本実施の形態では、浴室リモコン３にデータ更新決定手段３３を備えて、選択スイッチ１７によりいずれかのパラメータが変更されたときに、該変更されたパラメータを示すデータによりメモリ３４に記憶されたパラメータ指示データを更新するか否かを決定するようにしたが、パラメータ更新決定手段３３を備えない場合であっても本発明の効果を得ることができる。
【００５４】
また、本実施の形態では、図６のＳＴＥＰ１２において、選択スイッチ１７の長押操作の有無により、データ更新決定手段３３はメモリ３４に記憶されたパラメータ指示データを更新するか否かを決定したが、他の操作により、パラメータ指示データを更新するか否かを決定するようにしてもよい。
【００５５】
また、本実施の形態では、本発明の暖房機として、温水式の浴室暖房機７及び床暖房機８を示したが、温水式の温風暖房機等、他の種類の暖房機であっても給湯器リモコンで操作可能なものであれば本発明の効果を得ることができる。
【図面の簡単な説明】
【００５６】
【図１】本発明の給湯器リモコンを備えた給湯システムの全体構成図。
【図２】図１に示した浴室リモコンの構成図。
【図３】図１に示した浴室リモコンの表示器の表示状態を示した説明図。
【図４】図１に示した台所リモコンの構成図及び台所リモコンの表示器の表示状態を示した説明図。
【図５】パラメータの変更処理のフローチャート。
【図６】パラメータの変更処理のフローチャート。
【図７】台所リモコンにおける各パラメータの選択順序を示した説明図。
【図８】浴室リモコンにおける各パラメータの選択順序を示した説明図。
【符号の説明】
【００５７】
１…台所リモコン、２…増設リモコン、３…浴室リモコン、５…給湯器、６…（給湯器の）コントローラ、７…浴室暖房機、８…床暖房機、１０…（浴室リモコンの）表示器、１７…（浴室リモコンの）選択スイッチ、１８…（浴室リモコンの）Ｕpスイッチ、１９…（浴室リモコンの）Ｄownスイッチ、３０…（浴室リモコンの）コントローラ、３１…モード切替手段、３２…パラメータ選択手段、３３…データ更新決定手段、３４…メモリ、６０…（台所リモコンの）表示器、６３…（台所リモコンの）Ｕpスイッチ、６４…（台所リモコンの）Ｄownスイッチ、６５…（台所リモコンの）表示器
【図１】
2006226544.tif 000003
【図２】
2006226544.tif 000004
【図３】
2006226544.tif 000005
【図４】
2006226544.tif 000006
【図５】
2006226544.tif 000007
【図６】
2006226544.tif 000008
【図７】
2006226544.tif 000009
【図８】
2006226544.tif 000010